(57)【特許請求の範囲】
【請求項１】
画像データを表示させる画像表示装置と、前記画像表示装置にデータ伝送手段を介して接続されるとともに、前記画像表示装置における色均一性に関する補正データを調整するデータ処理装置と、を具備し、
前記データ処理装置は、
明るさの階調が異なる複数のテスト画像に関するテスト画像データを前記画像表示装置に出力するテスト画像出力制御手段と、
前記画像表示装置により表示された前記テスト画像を撮像する画像撮像手段と、
前記画像撮像手段により撮像された前記テスト画像の色均一性を計測する計測手段と、
前記計測手段により計測される色均一性に基づいて、各明るさの階調に対応した前記補正データを生成する補正データ生成手段と、
生成した前記補正データを前記画像表示装置に送信する補正データ送信手段と、
を備え、
前記画像表示装置は、
前記データ処理装置から入力される前記テスト画像データに基づいて、テスト画像を表示させるテスト画像表示手段と、
前記データ処理装置から送信された前記補正データを記憶する補正データ記憶手段と、
前記補正データ記憶手段に記憶された前記補正データに基づいて、前記画像データの画像の色均一性を補正して、補正された画像を表示させる制御をする再生画像表示手段と、
を備え、
前記補正データは、緑色成分の補正に関する緑色補正データ、赤色成分の補正に関する赤色補正データ、および青色成分の補正に関する青色補正データを有し、
前記テスト画像出力制御手段は、
緑色成分の階調値を変化させた複数の緑色テスト画像に関する緑色テスト画像データを出力する緑色テスト画像出力制御手段と、
赤色成分、青色成分、および緑色成分の各階調値を同一値に設定し、この階調値を変化させた複数の白色テスト画像に関する白色テスト画像データを出力する白色テスト画像出力制御手段と、を有し、
前記補正データ生成手段は、
前記画像撮像手段により撮像された前記緑色テスト画像に基づいて、前記緑色補正データを生成する緑色補正データ生成手段と、
前記画像撮像手段により撮像された前記白色テスト画像に基づいて、前記赤色補正データおよび前記青色補正データのうちいずれか一方を生成する赤青色補正データ生成手段と、を有し、
前記緑色テスト画像出力制御手段は、緑色成分の色均一性が補正されていない前記緑色テスト画像の緑色テスト画像データを出力し、
前記緑色補正データ生成手段は、前記緑色テスト画像に基づいて、緑色成分の色均一性を補正する補正値を演算して前記緑色補正データを生成し、
前記白色テスト画像出力制御手段は、前記緑色補正データ生成手段により前記緑色補正データが生成された後に、この緑色補正データの補正値に基づいて緑色成分の色均一性が補正された前記白色テスト画像の白色テスト画像データを出力し、
前記赤青色補正データ生成手段は、前記白色テスト画像に基づいて、赤色成分および青色成分のうちいずれか一方の色成分の色均一性を補正する補正値を演算して、
前記赤色補正データおよび前記青色補正データのうちいずれか一方を生成する  ことを特徴とする補正データ生成システム。
【請求項２】
請求項１に記載の補正データ生成システムにおいて、
前記赤青色補正データ生成手段は、前記画像撮像手段により撮像された前記白色テスト画像における赤色成分の色均一性および青色成分の色均一性のうち、どちらの色成分が不均一であるかを判断するとともに、赤色成分の色均一性が不均一であると判断された場合に、前記赤色補正データを生成し、青色成分の色均一性が不均一であると判断された場合に、前記青色補正データを生成する
ことを特徴とする補正データ生成システム。
【請求項３】
画像データを表示させる画像表示装置と、前記画像表示装置にデータ伝送手段を介して接続されるとともに、前記画像表示装置における色均一性に関する補正データを調整するデータ処理装置と、を具備した補正データ生成システムにおける補正データ生成方法であって、
前記データ処理装置は、前記画像表示装置に、緑色成分の色均一性が補正されていない前記緑色テスト画像の緑色テスト画像データを出力して、前記画像表示装置に緑色テスト画像を表示させる制御をする緑色テスト画像表示ステップと、
前記画像表示装置により表示された前記緑色テスト画像を撮像する緑色テスト画像撮像ステップと、
この撮像された緑色テスト画像データの緑色成分の色均一性を補正する緑色補正データを生成する緑色補正データ生成ステップと、
この生成された緑色補正データの補正値に基づいて緑色成分の色均一性が補正された前記白色テスト画像の白色テスト画像データを出力して、前記画像表示装置に白色テスト画像を表示させる制御をする白色テスト画像表示ステップと、
前記画像表示装置により表示された前記白色テスト画像を撮像する白色テスト画像撮像ステップと、
前記白色テスト画像に基づいて、赤色成分および青色成分のうちいずれか一方の色成分の色均一性を補正する補正値を演算して、前記赤色補正データおよび前記青色補正データのうちいずれか一方を生成する赤青色補正データ生成ステップと、
生成した前記赤色補正データおよび前記青色補正データのうちのいずれか一方と、前記緑色補正データと、を前記画像表示装置に送信し、前記データ処理装置の補正データ記憶手段に記憶する補正データ記憶ステップと、
を備えることを特徴とする補正データ生成方法。
【請求項４】
請求項３に記載の補正データ生成方法であって、
前記赤色補正データ生成ステップは、撮像された前記白色テスト画像において、赤色成分および青色成分のうちどちらの色成分の色均一性が不均一であるかを判断し、赤色成分の色均一性が青色成分に比べて不均一である場合に赤色成分に対応する赤色補正データを生成し、青色成分の色均一性が赤色成分に比べて不均一である場合に青色成分に対応する青色補正データを生成する
ことを特徴とする補正データ生成方法。
【発明の詳細な説明】
【技術分野】
【０００１】
本発明は、画像データに応じた画像を表示させる表示装置において、画像データを表示装置固有の色均一特性に応じて補正するための補正データを調整する補正データ生成システム、および補正データ生成方法に関する。
【背景技術】
【０００２】
従来、画像データに応じて画像光を射出させるプロジェクタが知られている。このようなプロジェクタでは、近年、色彩豊かな画像を投影させたり、使用環境に限らず、明るい画像を投影させたりする性能が求められ、これに伴い、プロジェクタ内部光エネルギーが増大する傾向にある。このような光エネルギーの増大は、例えば光源ランプや電気光学変化素子、内部光学部品の光学歪みを引き起こし、例えば全画素に対して所定を同じ輝度値で出力したとしても、表示される画像の輝度が不均一となり色むらなどが生じてしまう、いわゆる色均一性能の劣化に繋がるという問題がある。これに対して、このような色均一性能を改善するために、画像データを補正データに基づいて補正する画像表示装置がある。このような画像表示装置では、補正データを生成するための構成を備えている（例えば、特許文献１参照）。
【０００３】
この特許文献１に記載の画像表示装置は、入力画像信号を補正して補正画像信号を生成し、赤（Ｒ）の表示を最大階調に設定、緑（Ｇ）および青（Ｂ）の表示を最小階調に設定した状態、Ｇの表示を最大階調に設定、ＲおよびＢの表示を最小階調に設定した状態、Ｂの表示を最大階調に設定、ＧおよびＲの表示を最小階調に設定した状態での輝度および色度をそれぞれ色彩輝度計により計測する。次に、Ｒ，Ｇ，Ｂの表示を最小階調に設定した黒表示での輝度および色度を色彩輝度計により計測する。そして、これらの計測結果に基づいて、三刺激値をＲＧＢに変換するＸＹＺ→ＲＧＢ変換マトリクスを生成する。
さらに、Ｒ，Ｇ，Ｂを所定の同一階調表示に設定したグレー表示の輝度および色度を計測し、三刺激値からＲ，Ｇ，Ｂの混色比を算出する。また、表示されるグレー表示が最大階調となるように、階調レベルを変化させ、Ｒ，Ｇ，Ｂの混色比の変化特性に基づいて、γ補正データを生成する。この後、目標ホワイトポイントの色度座標を設定し、この目標ホワイトポイントを得るためのＲ，Ｇ，Ｂの混色比に基づいて、最大階調調整値を設定する。
【０００４】
【特許文献１】特開２００６−１２９４５６号公報
【発明の開示】
【発明が解決しようとする課題】
【０００５】
ところで、上記特許文献１のような画像表示装置では、上記したような最大階調調整値を生成するために、色彩輝度計により複数の表示状態を計測し、複雑な計算式により演算処理を実施する必要がある。したがって、画像表示装置に、高速演算処理が可能な回路構成、例えば高性能なＣＰＵ（Central Processing Unit）や高速なアクセスが可能なメモリが必要となり、構成も複雑化してしまい、画像表示装置のコストが増大してしまうという問題がある。
【０００６】
本発明は、上記のような問題に鑑みて、容易に色均一性に関する補正データを生成可能な補正データ生成システム、および補正データ生成方法を提供することを目的とする。
【課題を解決するための手段】
【０００７】
本発明の補正データ生成システムは、画像データを表示させる画像表示装置と、前記画像表示装置にデータ伝送手段を介して接続されるとともに、前記画像表示装置における色均一性に関する補正データを調整するデータ処理装置と、を具備し、前記データ処理装置は、明るさの階調が異なる複数のテスト画像に関するテスト画像データを前記画像表示装置に出力するテスト画像出力制御手段と、前記画像表示装置により表示された前記テスト画像を撮像する画像撮像手段と、前記画像撮像手段により撮像された前記テスト画像の色均一性を計測する計測手段と、前記計測手段により計測される色均一性に基づいて、各明るさの階調に対応した前記補正データを生成する補正データ生成手段と、生成した前記補正データを前記画像表示装置に送信する補正データ送信手段と、を備え、前記画像表示装置は、前記データ処理装置から入力される前記テスト画像データに基づいて、テスト画像を表示させるテスト画像表示手段と、前記データ処理装置から送信された前記補正データを記憶する補正データ記憶手段と、前記補正データ記憶手段に記憶された前記補正データに基づいて、前記画像データの画像の色均一性を補正して、補正された画像を表示させる制御をする再生画像表示手段と、を備え、前記補正データは、緑色成分の補正に関する緑色補正データ、赤色成分の補正に関する赤色補正データ、および青色成分の補正に関する青色補正データを有し、前記テスト画像出力制御手段は、緑色成分の階調値を変化させた複数の緑色テスト画像に関する緑色テスト画像データを出力する緑色テスト画像出力制御手段と、赤色成分、青色成分、および緑色成分の各階調値を同一値に設定し、この階調値を変化させた複数の白色テスト画像に関する白色テスト画像データを出力する白色テスト画像出力制御手段と、を有し、前記補正データ生成手段は、前記画像撮像手段により撮像された前記緑色テスト画像に基づいて、前記緑色補正データを生成する緑色補正データ生成手段と、前記画像撮像手段により撮像された前記白色テスト画像に基づいて、前記赤色補正データおよび前記青色補正データのうち少なくともいずれか一方を生成する赤青色補正データ生成手段と、を有し、前記緑色テスト画像出力制御手段は、緑色成分の色均一性が補正されていない前記緑色テスト画像の緑色テスト画像データを出力し、前記緑色補正データ生成手段は、前記緑色テスト画像に基づいて、緑色成分の色均一性を補正する補正値を演算して前記緑色補正データを生成し、前記白色テスト画像出力制御手段は、前記緑色補正データ生成手段により前記緑色補正データが生成された後に、この緑色補正データの補正値に基づいて緑色成分の色均一性が補正された前記白色テスト画像の白色テスト画像データを出力し、前記赤青色補正データ生成手段は、前記白色テスト画像に基づいて、赤色成分および青色成分のうち少なくともいずれか一方の色成分の色均一性を補正する補正値を演算して、前記赤色補正データおよび前記青色補正データのうち少なくともいずれか一方を生成することを特徴とする。
【０００８】
これにより、データ処理装置により生成される補正データを画像表示装置に送信し、補正データ記憶手段に記憶させるため、画像表示装置に補正データを生成、または調整する回路構成が不要となる。したがって、画像表示装置の構成を簡単にすることができ、画像表示装置の製造に要する製造コストも低減させることができる。
また、データ処理装置としては、パーソナルコンピュータなどの処理速度が高速で、演算処理に使用されるメモリ容量も大きい装置を用いることができ、このようなデータ処理装置を用いることで、画像表示装置に高価な回路構成を組み込むことなく、高速かつ高精度な色均一性に関する補正データの生成処理を実施することができる。
【０００９】
また、本発明の補正データ生成システムでは、前記補正データは、緑色成分の補正に関する緑色補正データ、赤色成分の補正に関する赤色補正データ、および青色成分の補正に関する青色補正データを有し、前記テスト画像出力制御手段は、緑色成分の階調値を変化させた複数の緑色テスト画像に関する緑色テスト画像データを出力する緑色テスト画像出力制御手段と、赤色成分、青色成分、および緑色成分の各階調値を同一値に設定し、この階調値を変化させた複数の白色テスト画像に関する白色テスト画像データを出力する白色テスト画像出力制御手段と、を備え、前記補正データ生成手段は、前記撮像手段により撮像された前記緑色テスト画像に基づいて、前記緑色補正データを生成する緑色補正データ生成手段と、前記撮像手段により撮像された前記白色テスト画像に基づいて、前記赤色補正データおよび前記青色補正データのうち少なくともいずれか一方を生成する赤青色補正データ生成手段と、を備え、前記緑色テスト画像出力制御手段は、緑色成分の色均一性が補正されていない前記緑色テスト画像の緑色テスト画像データを出力し、前記緑色補正データ生成手段は、前記緑色テスト画像に基づいて、緑色成分の色均一性を補正する補正値を演算して前記緑色補正データを生成し、前記白色テスト画像出力制御手段は、前記緑色補正データ生成手段により前記緑色補正データが生成された後に、この緑色補正データの補正値に基づいて緑色成分の色均一性が補正された前記白色テスト画像の白色テスト画像データを出力し、前記赤青色補正データ生成手段は、前記白色テスト画像に基づいて、赤色成分および青色成分のうち少なくともいずれか一方の色成分の色均一性を補正する補正値を演算して、前記赤色補正データおよび前記青色補正データのうち少なくともいずれか一方を生成することを特徴としている。
【００１０】
この発明によれば、先ず、緑色成分が補正されていない緑色テスト画像を表示させて、この緑色テスト画像に基づいて緑色補正データを生成する。そして、この後、この緑色補正データにより緑色成分の色均一性が補正された白色テスト画像を表示させて、この白色テスト画像に基づいて、赤色補正データおよび青色補正データを生成する。
一般に、赤色、緑色、および青色の３色により画像データの画像が構成されるが、このうち、緑色成分は、画像の明るさを支配する色であり、この緑色成分の色均一性を補正することにより、画像の明るさの階調性を崩すことなく、画像データを所望の明るさに補正することが可能となる。したがって、緑色成分に対応する色均一性を補正する緑色補正データを生成し、この緑色補正データに基づいて、緑色成分が補正された白色テスト画像を表示させることで、画像の明るさが適切に補正された白色テスト画像を表示させることができる。そして、この白色テスト画像における赤色成分および青色成分の色均一性に基づいて、赤色成分に対応する赤色補正データ、青色成分に対応する青色補正データを生成することで、容易かつ高精度な補正データを生成することができる。
【００１１】
また、本発明の補正データ生成システムでは、前記赤青色補正データ生成手段は、前記画像撮像手段により撮像された前記白色テスト画像における赤色成分の色均一性および青色成分の色均一性のうち、どちらの色成分が不均一であるかを判断するとともに、赤色成分の色均一性が不均一であると判断された場合に、前記赤色補正データを生成し、青色成分の色均一性が不均一であると判断された場合に、前記青色補正データを生成することが好ましい。
この発明によれば、上記のように明るさが適切に補正された白色テスト画像において、赤色成分および青色成分の色均一性のうち、色均一性が不均一である色成分を判断し、赤色成分の色均一性が不均一である場合には赤色補正データを生成し、青色成分の色均一性が不均一である場合には青色補正データを生成する。
これにより、白色テスト画像において、赤色成分および青色成分のうち、色均一性が不均一な一方の色成分に対応する補正データを生成するだけで、良好な補正データを迅速に生成することができ、補正データの生成および調整に要する時間を短縮させることができる。また、赤色成分または青色成分の色均一性のうち、より不均一である一方の色均一性を補正した白色テスト画像を表示させ、この白色テスト画像に基づいて、残りの色成分の色均一性に関する補正データを生成することで、この残りの色成分の色均一性をより正確に計測することができ、より高精度な色均一補正を実施可能な補正データを得ることができる。
【００１２】
また、本発明の補正データ生成方法は、画像データを表示させる画像表示装置と、前記画像表示装置にデータ伝送手段を介して接続されるとともに、前記画像表示装置における色均一性に関する補正データを調整するデータ処理装置と、を具備した補正データ生成システムにおける補正データ生成方法であって、前記データ処理装置は、前記画像表示装置に、緑色成分の色均一性が補正されていない前記緑色テスト画像の緑色テスト画像データを出力して、前記画像表示装置に緑色テスト画像を表示させる制御をする緑色テスト画像表示ステップと、前記画像表示装置により表示された前記緑色テスト画像を撮像する緑色テスト画像撮像ステップと、この撮像された緑色テスト画像データの緑色成分の色均一性を補正する緑色補正データを生成する緑色補正データ生成ステップと、この生成された緑色補正データの補正値に基づいて緑色成分の色均一性が補正された前記白色テスト画像の白色テスト画像データを出力して、前記画像表示装置に白色テスト画像を表示させる制御をする白色テスト画像表示ステップと、前記画像表示装置により表示された前記白色テスト画像を撮像する白色テスト画像撮像ステップと、前記白色テスト画像に基づいて、赤色成分および青色成分のうち少なくともいずれか一方の色成分の色均一性を補正する補正値を演算して、前記赤色補正データおよび前記青色補正データのうち少なくともいずれか一方を生成する赤青色補正データ生成ステップと、生成した前記赤色補正データおよび前記青色補正データのうちの少なくともいずれか一方と、前記緑色補正データと、を前記画像表示装置に送信し、前記データ処理装置の補正データ記憶手段に記憶する補正データ記憶ステップと、を備えることを特徴とする。
【００１３】
この発明によれば、上記補正データ生成システムの発明と同様に、データ処理装置により生成される補正データを画像表示装置に送信し、補正データ記憶手段に記憶させるため、画像表示装置に補正データを生成、または調整する回路構成が不要となり、画像表示装置の構成を簡単にすることができ、画像表示装置の製造に要する製造コストも低減させることができる。また、処理速度が高速で、演算処理に使用されるメモリ容量も大きいデータ処理装置を用いることで、画像表示装置に高価な回路構成を組み込むことなく、高速かつ高精度な補正データの調整動作を実施することができる。
【００１４】
さらに、本発明の補正データ生成方法では、前記赤色補正データ生成ステップは、撮像された前記白色テスト画像において、赤色成分および青色成分のうちどちらの色成分の色均一性が不均一であるかを判断し、赤色成分の色均一性が青色成分に比べて不均一である場合に赤色成分に対応する赤色補正データを生成し、青色成分の色均一性が赤色成分に比べて不均一である場合に青色成分に対応する青色補正データを生成することが好ましい。
この発明によれば、上記発明と同様に、先ず、画像の明るさを支配する緑色成分の色均一性を補正する緑色補正データを生成する。これにより、緑色補正データに基づいて、緑色成分が補正された白色テスト画像を表示させると、画像の明るさが適切に補正された白色テスト画像を表示させることができる。そして、この白色テスト画像において、赤色成分および青色成分のうち、色均一性が不均一な一方の色成分に対応する色補正データを生成することで、容易に補正データを生成することができる。また、緑色補正データおよびこの色補正データに基づいて色均一性が補正された白色テスト画像に表示させ、この白色テスト画像に基づいて、残りの色成分の色均一性を判断して補正データを生成することで、各色の色均一性を精度よく補正可能な補正データを容易に生成することができる。
【発明を実施するための最良の形態】
【００１５】
〔第一の実施の形態〕
以下、本発明の第一の実施の形態に係る補正データ生成システムを図面に基づいて説明する。
図１は、本発明の一実施の形態に係る補正データ生成システムの概略を示すブロック図である。
図２は、プロジェクタ部における光学エンジンの概略構成を示すブロック図である。
図３は、補正データ生成システムを構成するパーソナルコンピュータ部のＣＰＵにおいて演算処理されるプログラムの構成を示すブロック図である。
【００１６】
〔補正データ生成システムの構成〕
図１において、補正データ生成システム１は、画像表示装置としてのプロジェクタ２と、データ処理装置３とを備えている。これらのデータ処理装置３およびプロジェクタ２は、互いにデータ伝送手段としてのケーブル線により接続され、このケーブル線により各種信号が伝送される。このケーブル線としては、例えばプロジェクタ２およびデータ処理装置３のコンポジット端子同士を接続するコンポジットケーブル、コンポーネント映像端子同士を接続するコンポーネントケーブル、Ｓ映像端子同士を接続するＳ端子ケーブルなどが挙げられる。なお、高速にデジタル信号を伝送可能なＵＳＢ接続によりこれらプロジェクタ２およびデータ処理装置３が接続される構成であってもよい。
【００１７】
（プロジェクタ２の構成）
プロジェクタ２は、図１に示すように、ＡＤ映像回路２１と、テスト画像表示手段および再生画像表示手段を構成するパネル駆動回路２２と、テスト画像表示手段および再生画像表示手段を構成する光学エンジン２３と、ＭＰＵ（Micro Processing Unit)２４と、補正データ記憶手段としてのメモリ２５とを備えている。また、プロジェクタ２は、図示しない入出力部を備え、この入出力部に前記ケーブル線が接続されることによりデータ処理装置３と信号の伝達が可能な構成となっている。
【００１８】
ＡＤ映像回路２１は、入出力部から入力されるアナログ形式の画像データをデジタル形式に変換するとともに、変換した画像データをパネル駆動回路２２に出力する。
【００１９】
パネル駆動回路２２は、画像データに応じて後述の光学エンジン２３に組み込まれている液晶パネル２３Ｂに印加する電圧を適宜制御し、光学エンジン２３から画像データに対応する画像光を投射させる制御をする。
具体的には、プロジェクタ２がデータ処理装置３に接続されておらず、利用者が所望する画像データを再生させる場合には、パネル駆動回路２２は、メモリ２５に記録される色均一性に関する補正データを読み込み、この読み込んだ補正データに基づいて、画像データにおける各色（Ｒ，Ｇ，Ｂ）の色均一性を補正する。そして、パネル駆動回路２２は、この色均一性が補正された画像データの各色成分における階調値に基づいて、液晶パネル２３Ｂを適宜制御し、色均一性が補正された画像データに対応する画像を光学エンジン２３から拡大投射させる制御をする。
一方、工場出荷時などにおいて、プロジェクタ２がデータ処理装置３に接続され、補正データを生成する場合には、パネル駆動回路２２は、データ処理装置から入力されたテスト画像データに基づいて、液晶パネル２３Ｂを適宜制御し、テスト画像を光学エンジン２３から拡大投射させる制御をする。つまり、補正データの調整動作を実施する場合には、パネル駆動回路２２は、テスト画像データに対して色均一性の補正を実施しない。
【００２０】
光学エンジン２３は、図２に示すように、光源ランプ２３Ａと、液晶パネル２３Ｂと、投射レンズ２３Ｃとを備えている。
光源ランプ２３Ａは、ＭＰＵ２４の制御により所定輝度の光束を液晶パネル２３Ｂに射出する。
液晶パネル２３Ｂは、光源ランプ２３Ａからの光束を赤色光に変調する赤色液晶パネル、緑色光に変調する緑色液晶パネル、青色光に変調する青色パネルを備えている。これらの各色液晶パネルは、それぞれパネル駆動回路２２により印加される電圧が制御され、この印加電圧により画像データおよびテスト画像データに応じて光束を変調する。また、液晶パネル２３Ｂで光変調された各色光束は、例えばクロスダイクロイックプリズムにより合成されて画像光を形成し、投射レンズ２３Ｃから拡大投射される。
【００２１】
ＭＰＵ２４は、プロジェクタ２全体の動作を制御する。例えば、ＭＰＵ２４は、図示しない操作ボタンなどの操作手段が利用者により操作されたことを認識すると、操作内容に応じて例えば画像データに応じた画像光を光学エンジン２３から拡大投射させる制御をする。この時、ＭＰＵ２４は、メモリ２５に記録される色均一性に関する補正データや、その他画質補正データを読み込んで、例えば図示しないレジスタ上に展開する。そして、ＭＰＵ２４は、パネル駆動回路２２を制御して、このレジスタ上に展開される補正データに基づいて、画像補正させて、補正された画像を光学エンジン２３から拡大投射させる。また、ＭＰＵ２４は、工場出荷時における色均一性に関する補正データの調整処理時に、データ処理装置３から補正データが入力されたことを認識すると、この補正データをメモリ２５に記録する。
【００２２】
メモリ２５は、上記したように、画像データを表示させる際の、色均一性を補正する補正データが記録されている。この補正データは、赤色成分の色均一性補正に関する赤色補正データ、緑色成分の色均一性補正に関する緑色補正データ、および青色成分の色均一性に関する青色補正データを備えている。また、補正データは、明るさの階調値に応じて、複数の緑色補正データ、赤色補正データ、および青色補正データを備えている。例えば、画像データを構成するＲＧＢが８ビット形式にて表示される場合、各色成分は２５６階調にて表示させることが可能となるが、各色補正データは、それぞれの階調値における各画素の補正値を記録している。
【００２３】
（データ処理装置３の構成）
データ処理装置３は、プロジェクタ２のメモリ２５に記憶される色均一性に関する補正データを生成および調整する際に、プロジェクタ２に接続される装置である。このデータ処理装置３としては、例えば一般的に使用されるパーソナルコンピュータを利用することができ、その他、補正データを生成および調整する専用の電子機器などを用いてもよい。このデータ処理装置３は、図１に示すように、入出力インターフェース（以降、Ｉ／Ｏを称す）３１と、映像出力回路３２と、記憶部３３と、ＣＰＵ（Central Processing Unit）３４と、を備えている。
Ｉ／Ｏ３１は、プロジェクタ２と接続可能な端子部を備えており、上記したように、ケーブル線によりプロジェクタ２と通信可能に接続されている。また、Ｉ／Ｏ３１には、画像撮像手段としてのカメラ３５が接続されている。このカメラ３５は、プロジェクタ２により投射され、スクリーン４に表示された画像を撮像し、撮像した撮像画像をＩ／Ｏ３１に出力する。
【００２４】
映像出力回路３２は、ＣＰＵ３４の制御により、所定のテスト画像のテスト画像データをプロジェクタ２に出力させる。このテスト画像としては、例えば、緑色成分の色均一性の補正が実施されていない状態で、緑色成分の階調値のみを変化させた（赤色成分および青色成分の階調値を０に設定）緑色テスト画像、緑色成分の色均一性の補正を実施させた状態で、Ｒ，Ｇ，Ｂの各色成分の階調値を同一値とし、この階調値を変化させた白色テスト画像が挙げられる。
【００２５】
記憶部３３は、ＣＰＵ３４の制御により生成または調整された色均一性に関する補正データが適宜読み出し可能に記録される。また、記憶部３３は、ＣＰＵ３４にて実施される各種プログラムが、ＣＰＵ３４より適宜読み出し可能に記録されている。
【００２６】
ＣＰＵ３４は、データ処理装置３全体の動作を制御する。具体的には、ＣＰＵ３４は、図３に示すように、撮像データ認識手段３４１と、色補正データ判断手段としての補正データ判断手段３４２と、テスト画像出力制御手段３４３と、計測手段３４４と、補正データ生成手段としての補正演算手段３４５と、補正データ送信手段としてのデータ転送制御手段３４６と、を備えている。
【００２７】
撮像データ認識手段３４１は、カメラ３５を制御して、スクリーン４に投射されたテスト画像を撮像させる制御をするとともに、このカメラ３５にて撮像された撮像データを認識する。また、認識した撮像データを適宜読み出し可能に記憶部３３に記録する。
【００２８】
補正データ判断手段３４２は、記憶部３３に補正データが記録されているか否かを判断する。また、補正データ判断手段３４２は、記憶部３３に補正データが記録されている場合、記録されているデータの種類を判断する。すなわち、補正データ判断手段３４２は、補正データに緑色補正データのみ記録されているか、または、緑色補正データと、赤色補正データまたは青色補正データのうちいずれか一方とが記録されているかを認識する。
【００２９】
テスト画像出力制御手段３４３は、映像出力回路３２を制御して、テスト画像に関するテスト画像データをプロジェクタ２に出力する。
具体的には、テスト画像出力制御手段３４３は、緑色テスト画像に関する緑色テスト画像データを出力させる緑色テスト画像出力制御手段と、白色テスト画像に関する白色テスト画像データを出力させる白色テスト画像出力制御手段と、を備えている。
緑色テスト画像出力制御手段は、補正データ判断手段３４２にて、補正データが記録されていないと判断された場合、赤色成分の階調値および青色成分の階調値を「０」に設定し、緑色成分の階調値を「０」から「２５５」に変化させた、複数の緑色テスト画像の緑色テスト画像データをプロジェクタ２に出力させる制御をする。
また、白色テストテスト画像出力制御手段は、補正データ判断手段３４２にて、補正データとして緑色補正データのみが記録されていると判断された場合、赤色成分、緑色成分、および青色成分を同一階調とし、緑色成分に関して緑色補正データに基づいて色均一性を補正した白色テスト画像の白色テスト画像データをプロジェクタ２に出力させる制御をする。この白色テスト画像の出力においても、上記緑色テスト画像の緑色テスト画像データの出力と同様に、各色成分の階調値を「０」から「２５５」に変化させた、複数の白色テスト画像の白色テスト画像データを出力させる。
【００３０】
計測手段３４４は、撮像データ認識手段３４１により認識された撮像データにおける、色均一性を計測する。
具体的には、計測手段３４４は、画像の大きさに対して予め設定されている画像中央部の所定領域（画像中央領域）における輝度平均値を演算し、この輝度平均値と、画像中央領域外の各画素における輝度値との差分値を演算する。
また、この時、計測手段３４４は、緑色テスト画像に対応する撮像データに対して、画像中央領域の緑色成分の輝度平均値に対する画像周部の緑色成分の輝度値の差分値を演算する。また、計測手段３４４は、白色テスト画像に対応する撮像データに対して、画像中央領域の赤色成分の輝度平均値に対する画像周部の赤色成分の輝度値の差分値、および画像中央領域の青色成分の輝度値に対する画像主部の青色成分の輝度値の差分値のそれぞれを演算する。
【００３１】
補正演算手段３４５は、計測手段３４４にて計測された色均一性に基づいて、色均一性補正を実施するための補正値を演算し、補正データを生成する。
【００３２】
具体的には、補正演算手段３４５は、緑色補正データ生成手段および赤青色補正データ生成手段を備えている。
この緑色補正データ生成手段は、計測手段３４４による緑色テスト画像に対応する撮像データにおける色均一性の計測において、画像中央領域の輝度値と画像周部の輝度値との差分値が所定の閾値以上の画素があるか否かを判断する。ここで、画像中央領域の輝度値と画像周部の輝度値との差分値が所定の閾値以上の画素がある場合、補正演算手段３４５は、この画素を緑色成分における色均一性が不均一である画素として判断し、この画素の色均一性を補正する補正値を生成する。補正演算手段３４５は、上記補正値の生成演算処理を、全画素について実施して補正値を演算する。また、緑色補正データ生成手段は、カメラ３５により撮像された緑色テスト画像の明るさの階調値を認識し、この階調値と前記演算された補正値とを関連付けた緑色補正データを生成する。そして、緑色補正データ生成手段は、緑色成分の階調値の異なる複数の緑色テスト画像（例えば、本実施の形態では、各色成分は２５６階調で表現されるため、２５６パターンの緑色テスト画像）のそれぞれにおける緑色補正データを生成する。また、ここで生成された緑色補正データは、記憶部３３の図示しない緑色補正データ記憶領域に記録する。
【００３３】
また、赤青色補正データ生成手段は、計測手段による白色テスト画像に対応する撮像データにおける色均一性の計測において、赤色成分における画像中央領域の輝度平均値と画像周部の輝度値との差分値、および青色成分における画像中央領域の輝度平均値と画像周部の輝度値との差分値を認識する。そして、補正演算手段３４５の赤青色補正データ生成手段は、これらの差分値のうち、どちらの差分値の最大値が大きいか否かを判断する。ここで、補正演算手段３４５は、赤色成分に対する輝度の差分値が大きい場合、赤色成分の色均一性を補正する補正値を演算する。また、青色成分に対する輝度の差分値が大きい場合、青色成分の色均一性を補正する補正値を演算する。
ここで、赤青色補正データ生成手段は、前記緑色補正データの生成時と同様に、階調値の異なる複数の白色テスト画像のそれぞれにおいて、赤色補正データおよび青色補正データのいずれかを生成する。
また、赤青色補正データ生成手段は、これらの緑色補正データ、赤色補正データ、および青色補正データを記憶部３３の赤色補正データ記憶領域、および青色補正データ記憶領域に記憶する。
【００３４】
そして、補正演算手段３４５は、緑色補正データ記憶領域、赤色補正データ記憶領域、および青色補正データ記憶領域に記録された緑色補正データ、赤色補正データ、および青色補正データを関連付けた補正データを生成し、記憶部３３に記録する。
なお、上記において、緑色補正データ、赤色補正データ、および青色補正データを記憶部３３の緑色補正データ記憶領域、赤色補正データ記憶領域、および青色補正データ記憶領域に記憶する構成としたが、例えば、レジスタなどの記憶回路に、一時的に緑色補正データ、赤色補正データ、および青色補正データを記憶させ、最後にこれらを関連付けた補正データを生成する構成としてもよい。
【００３５】
データ転送制御手段３４６は、補正演算手段３４５により補正データが生成されて記憶部３３に記録されたことを認識すると、この生成された補正データをプロジェクタ２に出力する。
【００３６】
〔補正データ生成システムの動作〕
次に、上記したような補正データ生成システム１における補正データの生成処理について、図面に基づいて説明する。
図４は、本実施の形態の補正データ生成システム１における補正データの生成処理を示すフローチャートである。
【００３７】
図４において、プロジェクタ２のメモリ２５に記録される補正データを生成する際には、先ず、プロジェクタ２とデータ処理装置３とをケーブル線により接続し、プロジェクタ２およびデータ処理装置３間で信号伝送が可能な状態に設定する。
この後、データ処理装置３は、図示しない操作手段が操作されるなどして、プロジェクタ２の補正データを生成する旨の操作信号を認識すると、補正データ判断手段３４２により、記憶部３３に緑色補正データが記憶されているか否かを判断する（ステップＳ１０１）。
ここで、補正データ判断手段３４２により緑色補正データが記憶されていないと判断した場合、ＣＰＵ３４は、緑色補正データの生成処理を実施する。
すなわち、ＣＰＵ３４は、演算対象階調値ｎを初期値（ｎ＝０）に設定する(ステップＳ１０２)。
【００３８】
そして、ＣＰＵ３４のテスト画像出力制御手段３４３（具体的には、緑色テスト画像出力制御手段）は、緑色成分の階調値を演算対象階調値ｎ（初期値は０）に設定し、赤色成分および青色成分の階調値を「０」に設定した緑色テスト画像に関する緑色テスト画像データを生成する。また、テスト画像出力制御手段３４３は、映像出力回路３２を制御して、この生成した緑色テスト画像データをアナログデータ形式の映像信号を変換し、プロジェクタ２に出力する。
プロジェクタ２は、データ処理装置３から映像信号が入力されると、ＡＤ映像回路２１によりこの映像信号をデジタルデータ形式の緑色テスト画像データに変換する。そして、プロジェクタ２のパネル駆動回路２２は、この変換された緑色テスト画像データに基づいて光学エンジン２３における液晶パネル２３Ｂの印加電圧を制御し、緑色テスト画像をスクリーン４に拡大投射させる（ステップＳ１０３：緑色テスト画像表示ステップ）。
【００３９】
この後、データ処理装置３は、カメラ３５にてスクリーン４に投射された緑色テスト画像を撮像する。そして、ＣＰＵ３４の計測手段３４４は、この撮像データにおける緑色成分の色均一性を計測する。具体的には、計測手段３４４は、撮像データの画像中央領域の平均輝度と、画像周部における各画素の輝度との差分値を演算する（ステップＳ１０４：緑色テスト画像撮像ステップ）。
【００４０】
その後、ＣＰＵ３４の補正演算手段３４５（具体的には、緑色補正データ生成手段）は、ステップＳ１０４にて計測された色均一性に基づいて、緑色成分に対する色均一性の補正値を演算する。具体的には、補正演算手段３４５は、撮像データの画像中央領域の平均輝度値と画像周部の輝度との差分値のうち、予め設定された所定の閾値以上となる画素を認識し、この画素の輝度値を画像中央領域の平均輝度値と略一致させる補正値を演算し、これらの補正値を有する緑色補正データを生成する（ステップＳ１０５：緑色補正データ生成ステップ）。また、補正演算手段３４５は、このステップＳ１０５にて生成された緑色補正データを記憶部３３に適宜読み出し可能に記憶する。
【００４１】
この後、ＣＰＵ３４は、演算対象階調値ｎに「１」を加算し（ステップＳ１０６）、この演算対象階調値ｎが階調上限値ｍ（例えば各色成分が８ビットにて表される場合は、ｍ＝２５６）より大きいか否かを判断する（ステップＳ１０７）。
ここで、ｎ≦ｍである場合は、ステップＳ１０３の処理に戻り、次の階調値ｎ＋１に対する緑色補正データを生成する処理をする。
【００４２】
一方、ステップＳ１０２〜ステップＳ１０４の処理が例えば２５６階調値分繰り返されて、それぞれの階調値に対する緑色補正データが生成され、ステップＳ１０７においてｎ＞ｍと判断されると、再びステップＳ１０１の処理に戻る。この時、ステップＳ１０１において、上記ステップＳ１０２ないしステップＳ１０６により緑色補正データが生成されているので、補正データ判断手段３４２は、緑色補正データがあると判断する。
【００４３】
ステップＳ１０１において、補正データ判断手段３４２にて緑色補正データがあると判断されると、ＣＰＵ３４は演算対象階調値ｎを初期値０に設定する（ステップＳ１０８）。
そして、ＣＰＵ３４のテスト画像出力制御手段３４３（具体的には、白色テスト画像出力制御手段）は、記憶部３３に記憶されている緑色補正データに基づいて色均一性が補正された緑色成分、色均一性補正が実施されていない赤色成分、および色均一性補正が実施されていない青色成分の階調値のそれぞれを演算対象階調値ｎに設定した白色テスト画像に関する白色テスト画像データを生成する。また、テスト画像出力制御手段３４３は、映像出力回路３２を制御して、この白色テスト画像データを映像信号に変換して、プロジェクタ２に出力する。なお、白色テスト画像の生成において、緑色成分を補正する緑色補正データとしては、演算対象階調値ｎに対応する補正値が記録される緑色補正データが用いられる。
プロジェクタ２は、データ処理装置３から映像信号が入力されると、ＡＤ映像回路２１によりこの映像信号をデジタルデータ形式の白色テスト画像データに変換する。また、パネル駆動回路２２は、この白色テスト画像データに基づいて光学エンジン２３の液晶パネル２３Ｂを制御し、白色テスト画像をスクリーン４に拡大投射させる（ステップＳ１０９：白色テスト画像表示ステップ）。
【００４４】
この後、データ処理装置３は、カメラ３５により、スクリーン４に表示された白色テスト画像を撮像し、計測手段３４４により、撮像データの色均一性を計測する（ステップＳ１１０：白色テスト画像撮像ステップ）。
このステップＳ１１０では、計測手段３４４は、撮像データの画像中央領域の赤色成分の平均輝度と、画像周部における各画素の赤色成分の輝度値との差分値、および画像中央領域の青色成分の平均輝度と、画像周部における各画素の青色成分の輝度値との差分値を演算する。
【００４５】
次に、補正演算手段３４５（具体的には、赤青色補正データ生成手段）は、ステップＳ１１０にて演算された赤色成分における差分値の最大値が、青色成分の最大値よりも大きいか否かを判断する（ステップＳ１１１）。
そして、ステップＳ１１１において、補正演算手段は、赤色成分の差分値の最大値が大きいと判断すると、赤色成分の色均一性補正に関する赤色補正データを生成する（ステップＳ１１２）。具体的には、撮像データの画像中央領域の赤色成分の平均輝度値と、画像周部の赤色成分の輝度値との差分値のうち、予め設定された所定の閾値以上となる画素を認識する。そして、この画素の輝度値を画像中央領域の平均輝度値と略一致させる補正値を演算し、これらの補正値を有する赤色補正データを生成する。また、補正演算手段３４５は、このステップＳ１１２にて生成された赤色補正データを記憶部３３に適宜読み出し可能に記憶する。
この後、ＣＰＵ３４は、演算対象階調値ｎに「１」を加算する（ステップＳ１１３）。
【００４６】
一方、ステップＳ１１１において、補正演算手段３４５は、青色成分の差分値の最大値が大きいと判断すると、青色成分の色均一性補正に関する青色補正データを生成する（ステップＳ１１４）。具体的には、赤色補正データの生成時と同様に、撮像データの画像中央領域の青色成分の平均輝度値と、画像周部の青色成分の輝度値との差分値のうち、予め設定された所定の閾値以上となる画素を認識する。そして、この画素の輝度値を画像中央領域の平均輝度値と略一致させる補正値を演算し、これらの補正値を有する青色補正データを生成する。また、補正演算手段３４５は、このステップＳ１１４にて生成された緑色補正データを記憶部３３に適宜読み出し可能に記憶する。
この後、ＣＰＵ３４は、演算対象階調値ｎに「１」を加算する（ステップＳ１１５）。
なお、ステップＳ１１１、ステップＳ１１２、およびステップＳ１１４により本発明の赤青色補正データ生成ステップが実行される。
【００４７】
そして、ステップＳ１１３またはステップＳ１１５の後、ＣＰＵ３４は、演算対象階調値ｎが階調上限値ｍ（例えば各色成分が８ビットにて表される場合は、ｍ＝２５６）より大きいか否かを判断する（ステップＳ１１６）。ここで、ｎ≦ｍである場合は、ステップＳ１０９の処理に戻り、次の階調値ｎ＋１に対する色補正データを生成する処理をする。
【００４８】
一方、ステップＳ１１６において、ｎ＞ｍである場合、補正演算手段３４５は、記憶部３３に記憶された緑色補正データ、赤色補正データ、および青色補正データを有する補正データを生成する。この後、データ転送制御手段３４６は、この生成された補正データをＩ／Ｏ３１からケーブル線を介してプロジェクタ２に転送する。
プロジェクタ２は、データ処理装置３から補正データが転送されてくると、この補正データをメモリ２５に適宜読み出し可能に記憶する（補正データ記憶ステップ）。
【００４９】
（本実施の形態の補正データ生成システムの作用効果）
上述したように、上記補正データ生成システム１では、データ処理装置３は、テスト画像出力制御手段３４３により、プロジェクタ２に階調値を変化させた複数の緑色テスト画像および白色テスト画像の白色テスト画像データを出力する制御をし、カメラ３５により、プロジェクタ２により表示される前記緑色テスト画像および白色テスト画像を撮像する。そして、計測手段３４４によりカメラ３５で撮像されたテスト画像の撮像データの色均一性を計測し、補正演算手段３４５により、計測された色均一性に基づいて補正データを生成する。そして、この生成された補正データをデータ転送制御手段３４６にてプロジェクタ２に転送し、プロジェクタ２は、転送されてきた補正データをメモリ２５に記憶する。
このため、データ処理装置３にて、各階調値に対応する撮像データの色均一性の計測を実施したり、各階調値に対応する補正データを生成したりするので、プロジェクタ２に、これら色均一性の計測や補正データの生成を実施するための回路、プログラムなどを設ける必要がなく、プロジェクタ２の構成を簡単にすることができる。したがって、プロジェクタ２の製造に要するコストを低減させることができる。
すなわち、例えば各色成分を８ビットの表示形式で表すＲＧＢデータ形式などでは、各色成分に対して２５６階調分の色均一性を計測する必要があり、それぞれの階調に対して色均一性を補正するための色補正データを生成する必要がある。このような処理をプロジェクタ２に実装すると、ＭＰＵ２４として高速処理が可能な高価な回路チップが必要になり、生産コストが増大する。各プロジェクタ２にこのような高価なＭＰＵ２４を設けることは、非常に不経済であり、生産効率も低下する。一方、上記実施の形態のように、データ処理装置３にてプロジェクタ２の補正データを生成させることで、１台のデータ処理装置３で複数のプロジェクタ２の補正データを生成することができ、またプロジェクタ２のＭＰＵ２４としても上記のような高速かつ高価な回路チップを設ける必要がなく、生産コストを低減させることができ、プロジェクタ２の生産効率を向上させることができる。
【００５０】
また、補正データ生成システム１では、データ処理装置３は、先ず緑色テスト画像を表示させて緑色成分の色均一性に対する緑色補正データを生成し、この緑色補正データにより緑色成分が補正された白色テスト画像に基づいて、赤色成分および青色成分の色補正データを生成している。
このため、人の視覚における明るさを支配する緑色に関して、最初に色均一性補正を実施することで、白色テスト画像における明るさを階調レベルを崩すことなく正確に設定することができる。したがって、緑色成分が補正された白色テスト画像により残りの色成分である赤色成分および青色成分の色補正データを演算することで、より正確に赤色成分および青色成分の色補正データを生成することができる。したがって、高精度な色均一性補正を実施可能な補正データを生成することができ、プロジェクタ２の画像表示処理において良好な画質の画像を表示させることができる。
【００５１】
また、赤色補正データおよび青色補正データの生成において、計測手段にて計測される撮像データの画像中央領域における平均輝度値と、画像周部の各画素の輝度値との差分値の最大値が大きい一方の色成分に対応する色補正データを生成する。
このため、赤色成分と青色成分との双方の成分に関する色補正データを生成する必要がないため、補正データの生成処理をより簡単にすることができるとともに、補正データのデータ容量も小さくすることができる。
【００５２】
〔他の実施の形態〕
なお、本発明は前述の実施形態に限定されるものではなく、本発明の目的を達成できる範囲での変形、改良等は本発明に含まれるものである。
【００５３】
例えば、白色テスト画像において、赤色成分および青色成分の画像中央領域の平均輝度に対する画像周部の輝度の差分値を演算し、赤色補正データまたは青色補正データのうち、差分値の最大値が大きい一方の色成分に対応するデータを生成するとしたが、これに限定されない。
赤色補正データおよび青色補正データの双方の色均一性を補正する赤色補正データおよび青色補正データを生成してもよい。この場合、補正演算手段３４５は、先ず、白色テスト画像において、赤色成分および青色成分の画像中央領域の平均輝度に対する画像周部の輝度の差分値のうち、最大値が大きい一方の色成分に対する色補正データを生成する。そして、画像出力制御手段は、緑色補正データおよび、この生成された色補正データに基づいて、色補正が実施された白色テスト画像の白色テスト画像データを出力してプロジェクタ２から出力させる。この後、補正演算手段３４５は、この白色テスト画像に基づいて、残りの色に対する色均一性に関する色補正データを生成する。
このような構成では、ＲＧＢ各色に対する各色補正データを全階調値に対して設定した補正データを生成することができ、色均一性をより精度よく補正可能な補正データを生成することができる。また、テスト画像出力制御手段３４３は、緑色補正データ、および赤色成分および青色成分のうち色均一性がより不均一な一方の色成分に対応する色補正データに基づいて、色均一性が補正された白色テスト画像を出力させている。このため、白色テスト画像の撮像データにおいて残りの１色に対する色均一性をより容易に、かつ高精度に色均一性を計測することができ、高精度に画像補正を実施可能な補正データを得ることができる。
【００５４】
また、上記実施の形態において、補正演算手段３４５は、赤色補正データまたは青色補正データのうち、差分値の最大値が大きい一方の色成分に対応するデータを生成するとしたが、これに限定されない。例えば、差分値の平均を演算し、この差分値の平均値が大きい色に対する色補正データを生成する構成としてもよい。さらには、所定の閾値を越える差分値の画素数が多い色成分に対応した色補正データを生成する構成としてもよい。
【００５５】
さらに、上記において、補正データの生成処理を示したが、プロジェクタ２に既に記録された補正データを調整する調整処理も略同様の処理を実施する。すなわち、補正データの調整処理では、プロジェクタ２とデータ処理装置３とが接続されると、プロジェクタ２からデータ処理装置３にメモリ２５に記憶された補正データが伝送される。データ処理装置３はこの補正データを記憶部３３に記憶し、補正データの調整処理を実施する。
【００５６】
この時、上述したように、補正データの生成処理では、ステップＳ１０１の処理において緑色補正データがある場合、ステップＳ１０８の処理を実施したが、調整処理の際には、緑色補正データの有無に関わらず、先ず、ステップＳ１０２ないしステップＳ１０７の処理を実施し、緑色補正データを調整する。この後、この調整された緑色補正データに基づいて白色テスト画像を表示させ、撮像された白色テスト画像の撮像データに基づいて、赤色補正データおよび青色補正データを生成する。そして、新たに生成された緑色補正データ、赤色補正データ、および青色補正データに基づいた補正データを生成し、プロジェクタ２に転送することで、補正データの調整が実施される。
【００５７】
また、ステップＳ１０３において、プロジェクタ２から伝送された補正データの緑色補正データに基づいて色均一性補正が実施された緑色テスト画像を表示させてもよい。この場合、緑色補正データの補正値として修正すべき値だけを修正し、その他正常な値を残すことで、緑色補正データを新たに作り直すことなく、迅速に緑色補正データの調整を実施することができる。同様に、白色テスト画像の表示においても、プロジェクタ２から伝送された補正データの赤色補正データおよび青色補正データ、調整された緑色補正データにより色補正が実施された白色テスト画像を表示させてもよい。この場合でも、上記緑色補正データの調整と同様に、迅速な補正データの調整を実施することができる。
【００５８】
また、補正データ判断手段３４２により緑色補正データが生成されたか否かを判断した後、テスト画像出力制御手段３４３により白色テスト画像を表示させる制御をしたが、これに限らない。例えば補正データ判断手段３４２が設けられない構成としてもよく、この場合、テスト画像出力制御手段３４３は、緑色テスト画像に関する緑色テスト画像データの出力を緑色成分の階調値分繰り返し、各階調値に対する緑色補正データが生成された後、自動的に白色テスト画像に関する白色テスト画像データを出力させる制御をする。このような構成でも上記実施の形態と同様に補正データの生成処理を実施することができる。
【００５９】
そして、補正データ生成システム１を構成する画像表示装置としてプロジェクタ２を例示したが、例えば、液晶ディスプレイ、プラズマディスプレイなど、その他の画像表示装置であってもよい。
【００６０】
その他、本発明の実施の際の具体的な構造および手順は、本発明の目的を達成できる範囲で他の構造などに適宜変更できる。
【図面の簡単な説明】
【００６１】
【図１】本発明の一実施の形態に係る補正データ生成システムの概略を示すブロック図である。
【図２】本実施の形態のプロジェクタ部における光学エンジンの概略構成を示すブロック図である。
【図３】本実施の形態における補正データ生成システムを構成するパーソナルコンピュータ部のＣＰＵにおいて演算処理されるプログラムの構成を示すブロック図である。
【図４】本実施の形態の補正データ生成システム１における補正データの生成処理を示すフローチャートである。
【符号の説明】
【００６２】
１…補正データ生成システム、２…画像表示装置としてのプロジェクタ、３…データ処理装置、２２…表示手段を構成するパネル駆動回路、２３…表示手段を構成する光学エンジン、２５…補正データ記憶手段としてのメモリ、３５…画像撮像手段としてのカメラ、３４２…色補正データ判断手段としての補正データ判断手段、３４３…テスト画像出力制御手段としての画像出力制御手段、３４４…計測手段、３４５…補正データ生成手段としての補正演算手段、３４６…補正データ送信手段としてのデータ転送制御手段。
【図１】
0005082705.tif 000002
【図２】
0005082705.tif 000003
【図３】
0005082705.tif 000004
【図４】
0005082705.tif 000005